(57)【要約】【課題】紫外線をカットし得ると共に貼付時の違和感を低減する貼付テープを提供する。【解決手段】表面に対して裏側にテープ接着面１を配して皮膚に貼付し得るテープ本体２と、テープ本体２のテープ接着面１を被覆する剥離体４とを備える貼付テープであって、  テープ本体２は、ポリウレタンの基材に肌色の着色剤を１０重量％以上４０重量％以下で配してシート状に形成され、  テープ本体２の着色剤は、酸化チタンと酸化鉄の合計量を８０重量％以上１００重量％以下で含有し、更に酸化チタンと酸化鉄の重量比を１０：１から２：１までの比率にする。【選択図】図２
2014097225.tif 000002
【特許請求の範囲】
【請求項１】
表面に対して裏側にテープ接着面を配して皮膚に貼付し得るテープ本体と、該テープ本体のテープ接着面を被覆する剥離体とを備える貼付テープであって、
前記テープ本体は、ポリウレタンの基材に肌色の着色剤を１０重量％以上４０重量％以下で配してシート状に形成され、
前記テープ本体の着色剤は、酸化チタンと酸化鉄の合計量を８０重量％以上１００重量％以下で含有し、更に酸化チタンと酸化鉄の重量比を１０：１から２：１までの比率にしたことを特徴とする貼付テープ。
【請求項２】
レーザ治療を施した顔の皮膚の治療箇所にテープ本体を貼付し、日焼け防止材として使用するように構成したことを特徴とする請求項１に記載の貼付テープ。
【請求項３】
前記テープ本体の形状を支持するようテープ本体の表面を被覆するキャリアを備え、
前記テープ本体は、厚み５μｍ以上３０μｍ以下のシート状に形成されたことを特徴とする請求項１又は２に記載の貼付テープ。
【請求項４】
テープ本体の裏面にパッドを備えたことを特徴とする請求項１〜３のいずれか１つに記載の貼付テープ。
【発明の詳細な説明】
【技術分野】
【０００１】
本発明は、皮膚に貼付する貼付テープに関するものである。
【背景技術】
【０００２】
従来、医療用や美容用の貼付テープには様々な種類のものがあり、その中には、テープ材の接着面中央にパッドを備えたものや、パッドを備えることなく、ウレタン製のテープ材で構成されたものが存在している。
【０００３】
またウレタン製のテープ材の場合には、テープ材の表側にキャリアを仮貼付し、テープ材の形状を支持するようにしていると共に、キャリアの表側に外方へ突出する摘み部を配置してキャリアをテープ本体から容易に剥離し得るようにしている（例えば、特許文献１，２参照）。
【先行技術文献】
【特許文献】
【０００４】
【特許文献１】特開２００７−１５１７１９号公報
【特許文献２】特開２０１２−１６４７６号公報
【発明の概要】
【発明が解決しようとする課題】
【０００５】
しかしながら、近年、貼付テープに他の機能を付加することが求められており、具体的には、紫外線をカットして皮膚へのダメージを低減することが求められている。また貼付テープを皮膚に貼付した際に違和感を一層低減することが求められている。
【０００６】
本発明は、斯かる実情に鑑み、紫外線をカットし得ると共に貼付時の違和感を低減する貼付テープを提供しようとするものである。
【課題を解決するための手段】
【０００７】
本発明の貼付テープは、表面に対して裏側にテープ接着面を配して皮膚に貼付し得るテープ本体と、該テープ本体のテープ接着面を被覆する剥離体とを備える貼付テープであって、
前記テープ本体は、ポリウレタンの基材に肌色の着色剤を１０重量％以上４０重量％以下で配してシート状に形成され、
前記テープ本体の着色剤は、酸化チタンと酸化鉄の合計量を８０重量％以上１００重量％以下で含有し、更に酸化チタンと酸化鉄の重量比を１０：１から２：１までの比率にしたものである。
【０００８】
又、本発明の貼付テープにおいて、レーザ治療を施した顔の皮膚の治療箇所にテープ本体を貼付し、日焼け防止材として使用するように構成することが好ましい。
【０００９】
又、本発明の貼付テープにおいて、前記テープ本体の形状を支持するようテープ本体の表面を被覆するキャリアを備え、
前記テープ本体は、厚み５μｍ以上３０μｍ以下のシート状に形成されることが好ましい。
【００１０】
又、本発明の貼付テープにおいて、テープ本体の裏面にパッドを備えることが好ましい。
【発明の効果】
【００１１】
本発明の貼付テープによれば、酸化チタン、酸化鉄を所定の割合で配合するので、紫外線をカットして皮膚へのダメージを低減することができる。またポリウレタンのテープ本体を用いるので、テープ本体を貼付した際の皮膚への違和感を低減することができるという優れた効果を奏し得る。
【図面の簡単な説明】
【００１２】
【図１】本発明の貼付テープの一例を示す平面図である。
【図２】図１のＩＩ−ＩＩ方向の矢視図である。
【図３】本発明の貼付テープの他例を示す側面図である。
【図４】本発明の貼付テープにおける着色剤２０％配合のテープ本体、着色剤３０％配合のテープ本体、透明フィルム、不織布について紫外線の透過率を示すグラフである。
【図５】本発明の貼付テープにおける３０μｍ厚のテープ本体、２０μｍ厚のテープ本体、不織布について紫外線の透過率を示すグラフである。
【図６】本発明の貼付テープにおける３０μｍ厚のテープ本体、２０μｍ厚のテープ本体について紫外線の透過率を拡大して示すグラフである。
【発明を実施するための形態】
【００１３】
以下、本発明の実施の形態例を図１〜図３を参照して説明する。
【００１４】
実施の形態例である貼付テープは、図１、図２に示す如く、表面に対し裏側にテープ接着面１を配して皮膚に貼付し得るテープ本体２と、テープ本体２の裏面に配置されるパッド３と、テープ本体２のテープ接着面１及びパッド３を被覆する剥離体４と、テープ本体２の形状を支持するようテープ本体２の表面を被覆するキャリア５と、キャリア５の表面に配置される印刷用の補助シート６とを備えている。
【００１５】
テープ本体２は、厚み５μｍ以上３０μｍ以下のシート状、好ましくは厚み７μｍ以上１５μｍ以下のシート状に形成されていると共に、平面視で円形に形成されている。またテープ本体２は、ポリウレタンの基材に肌色の着色剤を１０重量％以上４０重量％以下、好ましくは２０重量％以上３０重量％以下で配している。ここでテープ本体２の形状は、平面視で円形に限定されるものでなく、楕円、長方形、正方形、多角形でも良く、更には角部を円弧状（Ｒ状）にした形状や、周縁部や辺部に凹み部や突出部を有する歪んだ形状でも良い。
【００１６】
またテープ本体２に含まれる着色剤は、酸化チタンと酸化鉄の合計量を８０重量％以上１００重量％以下、好ましくは８４重量％以上９０重量％以下で含有し、酸化チタンと酸化鉄の重量比は、１０：１から２：１までの比率にする。また、酸化チタンと酸化鉄は分散性を高めるために予め被覆剤で被覆することが好ましい。被覆剤としては、水酸化アルミニウム、ジメチコン、ハイドロゲンジメチコン、シリカ、脂肪酸、界面活性剤等が挙げられ、被覆材の種類は限定されない。さらに、着色剤にイソノナン酸イソトリデシル等の油剤を添加したり、タルクなどの体質顔料を添加することにより、着色剤の分散性を高めることができる。なお、これらの重量％は、着色剤の全重量に対するものであり、ポリウレタン、テープ接着面１の接着材、パッド３の重量を含むものではない。
【００１７】
ここで着色剤における酸化チタン、酸化鉄は、紫外線（ＵＶ）をカットする粒子、肌色の顔料として作用している。また酸化チタンは低次酸化チタンでも良く、紫外線をカットし得るならば酸化数や粒子の状態は特に制限されるものではない。
【００１８】
パッド３は、テープ本体２のほぼ中央に位置し、コットン等の素材により不織布やメッシュ体に構成されている。ここでパッド３の形状は、平面視で円形に限定されるものでなく、テープ本体２と同様に他の形状でも良い。またパッド３の状態は、乾燥した状態に限定されるものでなく、美容液や薬剤を予め含浸しても良い。更に図３の他例に示す如くテープ本体２にパッド３がない構成でも良い。
【００１９】
剥離体４は、テープ本体２の一端からテープ接着面１及びパッド３のほぼ中央までを剥離可能に被覆する第一の剥離紙７と、テープ本体２の他端からテープ本体２の残りのテープ接着面１及びパッド３を剥離可能に被覆する第二の剥離紙８とを備えている。また第一の剥離紙７は、中央寄り側部で折り返された把持部９を形成している。更に第二の剥離紙８は、第一の剥離紙７の把持部９を覆う延在部１０を形成していると共に、テープ本体２の他端から外方へ突出する余白部１１を形成している。
【００２０】
キャリア５は、平面視でテープ本体２の表面を覆うように円形の形状を備えていると共に、第二の剥離紙８の余白部に対応する形状で且つキャリア５をテープ本体２から剥がす際の摘み部となる凸部１２を備えている。またキャリア５は、テープ本体２を支持する硬さを有すると共に、テープ本体２に付随して曲げ得る柔軟性を有し、ポリエチレンテレフタレート（ＰＥＴ）、ポリプロピレン（ＰＰ）、ポリエチレン（ＰＥ）等の樹脂フィルムで構成されている。ここでキャリア５の形状は、テープ本体２の形状を支持する形状ならば特に制限されるものではない。
【００２１】
印刷用の補助シート６は、キャリア５の凸部とキャリア５のほぼ半分を覆うように形成されており、補助シート６の表面には、キャリア５の引き剥がす方向や使用方法が印刷されている。なおキャリア５には印刷用の補助シート６を無くし、キャリア５の表面に直接印刷しても良い。
【００２２】
次に本発明の貼付テープの使用方法を説明する。
【００２３】
貼付テープを貼付する際には、第二の剥離紙８をテープ本体２から剥離し、テープ接着面１に触れないように第一の剥離紙７の位置とキャリア５の凸部１２の位置を把持し、適用箇所にテープ本体２を仮貼付し、テープ本体２から第一の剥離紙７を剥離し、テープ本体２を完全に貼付する。そしてキャリア５の凸部１２を把持してキャリア５をテープ本体２から引き剥がし、テープ本体２の貼付を完了する。
【００２４】
これによりテープ本体２を貼付した際には、２８０ｎｍから３８０ｎｍまでの紫外線をカットすることが可能となる。また同時にテープ本体２の材質をポリウレタンにすると共にテープ本体２の厚さを５μｍ以上３０μｍ以下の薄さにすることにより、貼付時の皮膚への違和感を低減することが可能となる。
【００２５】
ここで、あざ、シミ等の顔の皮膚疾患をＱスイッチＹＡＧレーザ等によりレーザ治療し、皮膚が一時的に創傷状態にある場合、あるいは、皮膚の表皮が剥がれ落ちて日焼けしやすくなっている場合であっても、本実施例のテープ本体２を、レーザ治療を施した顔の皮膚の治療箇所に貼付すれば、美容用の日焼け防止材として利用することが可能となる。また顔にテープ本体２を貼付した際には、テープ本体２の薄さから敏感な顔の皮膚であっても貼付時の違和感を低減し得る。
【００２６】
以下、貼付テープのテープ本体２における着色剤の処方例を示すと共に、どの程度紫外線をカットするか比較試験を試み、その試験結果を示す。
【００２７】
［処方例１（ＵＶ−１）］
処方例１（ＵＶ−１）では、表１に示す如く着色剤中に、酸化チタンを７７．５２重量％、酸化鉄を９．７０重量％、顔料被覆材として水酸化アルミニウム（水酸化Ａｌ）を４．４９重量％、ジメチコンを１．１０重量％、ハイドロゲンジメチコンを１．０２重量％、シリカを０．８７重量％、その他のものとしてイソノナン酸イソトリデシルを５．３０重量％で含んでいる。
【００２８】
［処方例２（ＵＶ−２）］
処方例２（ＵＶ−２）では、表１に示す如く着色剤中に、酸化チタンを６２．２７重量％、酸化鉄を２４．０６重量％、顔料被覆材として水酸化アルミニウム（水酸化Ａｌ）を４．０６重量％、ジメチコンを１．７１重量％、ハイドロゲンジメチコンを１．０２重量％、シリカを０．８７重量％、その他のものとしてタルクを６．０１重量％で含んでいる。
【００２９】
【表１】
2014097225.tif 000003
【００３０】
［比較得試験１］
比較試験１では、ポリウレタンに処方例１（ＵＶ−１）の着色剤を２０重量％配合し且つ厚みを１０μｍにしたテープ本体の試験体ａと、ポリウレタンに処方例１（ＵＶ−１）の着色剤を３０重量％配合し且つ厚みを１０μｍにしたテープ本体の試験体ｂと、厚みを１０μｍにした透明フィルムと、肌色の不織布（３Ｍマイクロポアスキントーン（登録商標））とを用いて紫外線の透過率を試験した。その結果、図４に示す如く３２０ｎｍにおいて、透明フィルムの透過率は８１．７％となり、肌色の不織布の透過率は３１．１％となり、テープ本体の試験体ａの透過率は６．５％となり、テープ本体の試験体ｂの透過率は１．６％となった。このことから、ポリウレタンに着色剤を多く含む試験体ｂが紫外線を多くカットすることが明らかとなった。
［比較得試験２］
比較試験２では、ポリウレタンに処方例２（ＵＶ−２）の着色剤を３０重量％配合し且つ厚みを３０μｍにしたテープ本体の試験体ｃと、ポリウレタンに処方例２（ＵＶ−２）の着色剤を３０重量％配合し且つ厚みを１０μｍにしたテープ本体の試験体ｄと、肌色の不織布（３Ｍマイクロポアスキントーン（登録商標））とを用いて紫外線の透過率を試験した。その結果、図５、図６に示す如く３２０ｎｍにおいて、肌色の不織布の透過率は３１．１％となり、テープ本体の試験体ｃの透過率は０．１％となり、テープ本体の試験体ｄの透過率は３．２％となった。このことから、テープ本体の厚みを大きくした試験体ｃが紫外線を多くカットすることが明らかとなった。
【００３１】
而して、このように実施の形態例によれば、ポリウレタンの基材に肌色の着色剤を１０重量％以上４０重量％以下で配し、酸化チタンと酸化鉄の合計量を８０重量％以上１００重量％以下で含有し、酸化チタンと酸化鉄の重量比を１０：１から２：１までの比率にするよう、酸化チタンを５３重量％以上９１重量％以下で含有し、酸化鉄を７重量％以上３３重量％以下で含有するので、紫外線をカットして皮膚へのダメージを低減することができる。またポリウレタンのテープ本体２を用いるので、テープ本体２を貼付した際の皮膚への違和感を低減することができる。
【００３２】
ここで、ポリウレタンの基材に肌色の着色剤を１０重量％より小さい割合で配合した場合には、紫外線をカットする効果が適切でなくなり、ポリウレタンの基材に肌色の着色剤を４０重量％より割合で配した場合には、テープ本体２を安定して製造することが困難になる。また酸化チタンと酸化鉄の合計量を８０重量％より小さくした場合には、紫外線をカットする効果が適切でなくなる。
【００３３】
又、実施の形態例において、レーザ治療を施した顔の皮膚の治療箇所にテープ本体２を貼付し、日焼け防止材として使用するように構成すると、紫外線をカットする作用効果及び貼付時の皮膚への違和感の低減により、レーザ治療を施した顔の皮膚の治療箇所を好適に保護することができる。
【００３４】
又、実施の形態例において、テープ本体２の形状を支持するようテープ本体２の表面を被覆するキャリア５を備えると、テープ本体２を所望の形状で貼付し得るので、紫外線を所望の形でカットして皮膚へのダメージを好適に低減することができると共に、テープ本体２を貼付した際の皮膚への違和感を低減することができる。またテープ本体２は、厚み５μｍ以上３０μｍ以下のシート状に形成されると、テープ本体２を貼付した際の皮膚への違和感を低減することができる。またテープ本体２は、厚み７μｍ以上１５μｍ以下のシート状に形成されると、テープ本体２を貼付した際の皮膚への違和感を大幅に低減するので、顔への貼付を極めて容易にすることができる。ここでテープ本体２の厚みを５μｍより薄くした場合には、テープ本体２の強度が低下して安定的に使用することができず、テープ本体２の厚みを３０μｍより厚くした場合には、テープ本体２を貼付した際の皮膚への違和感が急激に増加する。
【００３５】
又、実施の形態例において、テープ本体２の裏面にパッド３を備えると、紫外線をカットして皮膚へのダメージを低減することができると共に、他の用途に使用することが可能となり、テープ本体２の汎用性を高めることができる。
【００３６】
尚、本発明の貼付テープは、上述の図示例にのみ限定されるものではなく、テープ本体を貼付する箇所は顔に限定されるものでなく、他の部位に貼付しても良いこと、テープ本体を日焼け止め以外の他の用途に使用しても良いこと、その他、本発明の要旨を逸脱しない範囲内において種々変更を加え得ることは勿論である。
【符号の説明】
【００３７】
１    テープ接着面
２    テープ本体
３    パッド
４    剥離体
５    キャリア
６    補助シート
【図１】
2014097225.tif 000004
【図２】
2014097225.tif 000005
【図３】
2014097225.tif 000006
【図４】
2014097225.tif 000007
【図５】
2014097225.tif 000008
【図６】
2014097225.tif 000009